(57)【要約】      （修正有）【課題】０．３ｎｍ〜５ｎｍの粒径を有する水分子を生成してなる装置の提供。【解決手段】滝口から最下部の水流域へ、落下加速度エネルギーを増加しながら水が上部から落下し、落下地点の流域に加速度を得ながら加圧溶解する自然界の仕組みを利用した装置であり、該装置は加圧及び磁場を一定の値に保たれた大気中空間においてナノ微細粒子水（１ｎｍ〜１０ｎｍ）を噴霧し、そのナノ微細粒子水を水溶液中内に溶解溶存させる事により、ナノ微細粒子水を急速に且つ大量に生成することが可能になる。【選択図】図１
2019093374.tif 000002
【特許請求の範囲】
【請求項１】
本発明装置の性能は，従来のナノバブル発生装置と性能比較すると、生成される粒径は０．３ｎｍ〜５ｎｍ（従来比１／３３０）、個数密度は２００該個（１０の１６乗倍）の値を示すことができた。本発明装置の特長は、水溶液中に気泡を発生させるのではなく、本発明装置の加圧（０．８〜１．５ｍｐａ）・磁場（２００〜４００ガロン）に加圧・帯びた、水分子・ナノ水生成室の空間にナノ水（１〜１０ｎｍ粒子）を発生させ、その水分子・ナノ水粒子を含んだ大気空気と共に水分子・ナノ水生成沈殿槽中に溶解溶存させることにより、水分子・ナノ水（０．３ｎｍ〜５ｎｍ）の粒径が生成される。及び個数密度は、１ｍｌ当り２００該個を生成することが可能となる発明装置である。本発明装置の概要を説明する。装置概念図１は、本発明の水分子・ナノ水生成システムを構成する装置の全体を示している。該水分子・ナノ水生成装置は水分子・ナノ水生成筐体２、水分子・ナノ水生成室３、第一・二三特殊ノズルユニット４・５・６、第一・二加圧空気制御ユニット７・８、水分子・ナノ水生成沈殿槽９、を形成し、筐体の外形はほぼ円筒上を形成し主要な装置を構成している。生成された、水分子・ナノ水は水分子・ナノ水生成配管１１、を経由し水分子・ナノ水生成水槽１０に生成水は貯留されていくことになる。水分子・ナノ水生成室３は、加圧空気入口２７．２８から加圧空気を取込む為の、加圧空気制御ユニット７．８を設置し該ユニット７．８は仕切り板を兼ねて設けることにより、その空間は加圧及び噴霧するためには、ナノ水１ｎｍ〜１０ｎｍ粒子の拡散が空間を効率よく行なうことが可能となる。水分子・ナノ水生成室３、は３室の空間を設けることになる、該空間において特殊ノズルユニット４．５．６．からナノ水１ｎｍ〜１０ｎｍの粒子水を噴霧し発生させる。水分子・ナノ水生成室は、加圧送風機２６．により加圧される、該圧力は水分子・ナノ水生成室の空間を０．８〜１．５ｍｐａ前後の圧力を保ちながら、特殊ノズルユニット４．５．６．からナノ水１ｎｍ〜１０ｎｍの粒子径を噴霧する。噴霧されたナノ水は加圧している空間を水分子・ナノ水沈殿槽９．に溶解溶存し貯留されていく。水分子・ナノ水生成室３．へ水を供給する給水槽１３．とポンプ１２．塩素除去装置１４．水フィルター２１．２２．磁気発生装置２３．より構成されている。また、水分子・ナノ水生成筐体２．に加圧（０．８〜１．５ｍｐａ）された空気及び磁場（２００ガロン〜４００ガロン）に荷電させた空気を、加圧空気発生装置２４．により調整された空気を加圧送風機２６．加圧送風管３１．を経由し加圧空気入口２７．２８から、水分子・ナノ水生成室に供給することになる。これらが本発明の特長である。
【請求項２】
本発明装置の構成装置である、加圧空気発生特殊装置の概要を説明する。加圧空気発生特殊装置２４．は空気取入れ口２５．特殊ノズルユニット２．空気制御ユニット３３．３４．加圧噴霧室３６．３７．３８．磁場発生ユニット３９．汚染水沈殿槽３５．の要素部品によって構成されている。及び筐体は、ほぼ正方形の形状をしている。空気取り入口２５．に取込まれる空気（標準空気である、比重１．２、温度０〜４０℃、粉塵密度０．５ｍｇ／ｍ３以下、湿度０〜９９％）は加圧噴霧室３６．に入り、該空間は特殊ノズルユニット−１．３２から微細粒子水１μｍ〜１０μｍの粒径水を噴霧し、空気制御ユニット３３．内を経由、蛇行しながら、加圧噴霧室−２．３７．を経由し通過していくことになる。また該微細粒子水に粉塵等を附着させた微細粒子水は汚染水沈殿槽３５．に沈殿されていくことになる。加圧噴霧室−３．３８．に至るまでに空気は清浄化され、加圧送風機２６．により加圧送風管３１．を経由し該空気は水分子・ナノ水生成装置２．へと供給されていくことになることが大きな特徴である。
【請求項３】
本発明装置の、第一、第二、第三特殊ノズルユニット４．５．６．から噴霧されたナノ水１ｎｍ〜１０ｎｍ粒子は、水分子・ナノ水生成室３．の、加圧（０．８〜１．５ｍＰａ）、磁場（２００〜４００ガロン）双方の条件を一定に保った空間に噴出されることになる。その後、その空間に噴霧された該ナノ水１ｎｍ〜１０ｎｍの粒子は、該空間の圧力と磁場力による化学反応等の変化を得てから、水分子・ナノ水粒子水（０．３ｎｍ〜５ｎｍ）口径の粒子が生成されることが大きな特徴である。
【請求項４】
本発明装置で生成される水分子・ナノ水の特徴は、例えば、生成する粒度分布を、０．３ｎｍ〜〜５ｎｍ、１０ｎｍ〜２０ｎｍ、５０ｎｍ〜１００ｎｍの任意の範囲に生成することが出来ることが本発明装置の大きな特徴である。
【請求項５】
本発明装置にて可能となる粒径の範囲（０．３ｎｍ〜５ｎｍ）は、多くの産業分野にて、各々の課題解決及び革命的な技術による新技術商品へと進むことが可能となることが、本発明装置の大きい特徴である。下記に大まかな新技術商品の領域を記述する。
１．医療分野において
身体の細胞が活性化する自然療法として、水分子を混入した飲料水及び食べ物等を体内に多く取り込む。それはアクアポリンの解明により、細胞膜の水分子の流れが阻害されると病気になる確率が増加する、また、癌の腫瘍は９０％以上細胞膜の上皮と下皮にできる、２４時間ごとに内粘膜が入替り、栄養物と同時に水を吸収している小腸には腫瘍は殆ど出来ないことが、いかにも水分子の流れが重要であることを証明している。
癌罹患者数は約３００万人と、毎年３７万人が亡くなります。腎臓罹患者の人工透析患者数は約４０万人と予備軍含めると８０万人と言われている。アクアポリＮに阻害があることは明白である。眼は身体唯一の無血管臓器である、角膜細胞は水晶体の附近から水分を吸収し静脈血管へ汚れと不純物を浄化しながら細胞へと流れていく。眼の治療は、水分子粒径の水が細胞へ取込む方法の確立が重要と考える。
２．エネルギー分野について
日本の基油の価格が中小企業の経営を圧迫している、世界的に見て高額である。また環境先進国の責任から、二酸化炭素排出量を大幅に削減する、先進国であるべきである。
重油・軽油・灯油とナノ水を混合する商品が今後普及していく時代が予想される。削減幅は▲５０％以上目指すべきであると考える。
３．食品・飲料・化粧品の分野について
食品・飲料・化粧品等の乳化剤は言うまでもなく、体に良くないのは明らかである。これは人の健康への安心安全より流通を優先させるために行っていると思われる癌腫瘍を増加させている一つの大きな要因である。水分子ナノ水と以上の商材の吸着混合は十分可能となり、安心安全な、商品の提供が可能となると考える。乳化剤の使用しているマーガーリンは、アメリカでは今年から販売禁止になっている。
４．半導体分野について
世界のトップ２（海外）の半導体の洗浄技術は、該洗浄対象ピッチが今１４ｎｍの時代を迎えようとしている。従来の技術は歩留り及び洗浄コストから水分子レベルの洗浄技術へと進化する時代を向かえている。
５．農業分野について
野菜果物の成長促進技術は無農薬、化学肥料の時代は終わろうとしている。自然と共生した栽培技術へと変化して来ている。水分子レベルが茎から葉へと、また空間に水分子が存在することにより成長促進が確実に可能となる技術が、無農薬栽培・生産量の増加・成長促進・自然光多・有機物・栄養増加を図れることが可能となる。また鮮度技術にも有効であると考える。
本発明装置にて生成される、水分子・ナノ水０．３ｎｍ〜５ｎｍ粒径の技術が、上記に記載する産業分野に、革命技術として応用展開されることが、本発明の大きな特徴である。
【発明の詳細な説明】
【技術分野】
【０００１】本発明は、水から水分子粒径を生成してなる装置である。最近の水粒子口径の計測技術は、０．３ナノメートル前後の水粒子から１０ナノメートル粒子までの範囲について高い精度の測定法が確立されてきた。このことにより、水分子は０．２８ナノメートル粒径であるが、計測精度から水分子の大きさも、ほぼ確立の高いレベルで０．２８ナノメートルを計測することが可能になった。本発明は、水の水分子０．３〜５ｎｍ粒径を生成してなる装置である。本発明の応用する技術分野は主に医薬品の分野になります。他に、野菜果物の成長促進・半導体（ピッチ間隔１０ｎｍ以下）の洗浄・化粧品（乳化剤の代替え）・食品乳化剤の代替え・食品加工の殺菌・水族館殺菌等への応用が可能となり、安全衛生面及びコスト大幅削減と品質向上があげられます。２００３年に、アメリカのピーターアグリ博士が、身体の「アクアポリン」を発見しノーベル化学賞を受賞した。アクアポリンとは身体の全ての臓器細胞に、水分子のみ通り抜けられる、たんぱく質のトンネルがあります。細胞膜の水分子の流れが阻害されたりすると、罹患することがわかってきました。例えば、癌の腫瘍の９０％以上にわたり細胞膜の上皮及び下皮におきます。また小腸の細胞粘膜は、１日毎に入れ替わります、これにより小腸に腫瘍は殆ど発生しません。水分子粒径（０．３ナノメートル〜５ナノメートル）を人工的に水から生成し、身体の細胞膜のアクアポリンに流れるようにすることにより腫瘍等の発生は起きにくくなると考えます。
【背景技術】
【０００２】日本発の革新的技術であると言われている、液中ナノバブル技術にて生成された、水の粒子口径は１００ナノメートル前後が最少粒子径であると本学会等から発表されている。下記に上記学会が開発方針等を公開している記事を参考に記述します。現在、経済産業省、企業、大学、研究機関等あげて、独自の技術蓄積と国際標準化に向けて取り組んでいるところであり。この革新技術商品の利用範囲は農業分野、医療分野、食品分野、インフラ分野等非常に広範にわたる裾野の広い技術である。この技術関連産業は供給側では、製造装置メーカー、製造部品メーカー、計測器メーカー、エンジニアリング会社等多くの企業が関係し、需要側でも、土木関連、医療関連、薬品関連、化粧品関連、半導体関連、食品関連、更には農林水産関連まで多くのアプリケーションが関係する分野横断的特徴を有しており、技術の供給、需要双方の産業（ファインバブル産業）は、今後、自動車、家電等と同様に日本を代表する基幹産業となり、更には、世界的にも大きな市場を有する将来型産業となる可能性まで秘めていると考えられている。しかし、上記に記載されている、最小の粒径サイズが現在１００ｎｍ程度である、残念ながら革新技術とは程遠い技術と考える。この程度の粒径では、医療・油との混合・乳化剤の代替・化粧品との混合・野菜果物の成長促進・半導体洗浄等の技術分野への適用は難しいと考える。【０００３】現在の日本における、最も大きな課題は、医療機器技術は世界トップにあるが、治療法、特に薬の費用対効果が喫緊の課題である。国家予算に占める医療費は、３５兆〜４０兆円を越えようとしている。高度医療費の割合も効果に反しどんどん増加しているのが現実で改善の方向は全く見えていないと国民は誰しも思っている。病気の罹患原因は血液の状態によると言われている。また、細胞の活性化が特に重要であると誰しもが考えている。
水分子技術の応用可能な商品と現状の課題について下記に列挙します。
１．身体の細胞が活性化する自然療法として、水分子を混入した飲料水及び食べ物等を体内に多く取り込む。それはアクアポリンの解明により、細胞膜の水分子の流れが阻害されると病気になる確率が増加する、また、癌の腫瘍は９０％以上細胞膜の上皮と下皮にできる、２４時間ごとに内粘膜が入替り、栄養物と同時に水を吸収している小腸には腫瘍は殆ど出来ないことが、いかにも水分子の流れが重要であることを証明している。癌罹患者数は約３００万人と、毎年３７万人が亡くなります。腎臓罹患者の人工透析患者数は約４０万人と予備軍含めると８０万人と言われている。アクアポリＮに阻害があることは明白である。眼は身体唯一の無血管臓器である、角膜細胞は水晶体の附近から水分を吸収し静脈血管へ汚れと不純物を浄化しながら細胞へと流れていく。眼の治療は、水分子粒径の水が細胞へ取込む方法の確立が重要と考える。
２．日本の基油の価格が中小企業の経営を圧迫している、世界的に見て高額である。また環境先進国の責任から、二酸化炭素排出量を大幅に削減する、先進国であるべきである。重油・軽油・灯油とナノ水を混合する商品が今後普及していく時代が予想される。削減幅は▲５０％以上目指すべきであると考える。
３．食品・飲料・化粧品等の乳化剤は言うまでもなく、体に良くないのは明らかである。これは人の健康への安心安全より流通を優先させるために行っていると思われる。癌腫瘍を増加させている一つの大きな要因である。水分子ナノ水と以上の商材の吸着混合は十分可能となり、安心安全な、商品の提供が可能となると考える。乳化剤の使用しているマーガーリンは、アメリカでは今年から販売禁止になっている。
４．世界のトップ２の半導体の洗浄技術は、該対象ピッチが今１４ｎｍの時代を迎えようとしている。従来の技術は歩留り及び洗浄コストから水分子レベルの洗浄技術へと進化する時代を向かえている。
５．野菜果物の成長促進技術は無農薬、化学肥料の時代は終わろうとしている。自然と共生した栽培技術へと変化して来ている。水分子レベルが茎から葉へと、また空間に水分子が存在することにより成長促進が確実に可能となる技術が、無農薬栽培・生産量の増加・成長促進・自然光多・有機物・栄養増加を図れることが可能となる。また鮮度技術にも有効であると考える。
【先行技術文献】
【０００４】日本発のナノバブルの技術の開発経緯から考えると、マイクロバブルとは発生時の気泡直径が５０μｍ以下の気泡であり通常の気泡が水中を急速に上昇して表面で破裂して消えるのに対して、水中で縮小していき、ついには消滅「完全溶解」してしまう。その中でも水中での消滅時におけるフリーラジカルの発生とナノバブルとしての残存が重要である。フリーラジカルは化学物質の分解性に優れているため、例えば水処理に使える。一方では１μｍ以下の極小気泡であり、ある程度の長時間、水中に存在している。このようなナノバブルを効率的に発生させる為にはある程度の電解質を含んだ水中でマイクロバブルを発生させ、これを自然な状態で浮遊させたり、簡単な物理的刺激を加えたりする必要がある。これにより縮小過程におけるマイクロバブルの周囲に電界質イオン類が高濃度に集積し、気泡内部の溶解を抑制する作用が生まれるため、結果的に極微小な気泡として長期に安定化する。ナノバブルは、気泡としての特性を失いかけている存在として認識できるが、一方において極めて興味深い特性を水に与える。いわゆる機能水としての作用である
【０００５】現在日本におけるナノバブルの生成する方法とび特性について一つの例を下記に記載する。溶解型マイクロバブル発生装置。酸素等の気体は水中に溶解する。気体の種類によって溶解量には違いがあるが、基本的に特性として圧力に比例して気体の溶解量も増加する、加圧溶解型のマイクロバブル生成方法はこの特性を利用したものであり、ある程度の高圧で十分な量の気体を水中に溶解させた後、その圧力を開放してやることで溶解した気体の過飽和条件を作り出す。これにより過剰に溶解した気体は不安定な状態になり、過飽和部分の気体分子は水から飛び出そうとする。その結果水中に大量の気泡を発生させる。基本的なシステム構成は加圧駆動が可能なポンプを利用して水槽内の水を循環させる。この時に吸引側からは水と気体を取り込む。これらは押出し側から水槽内に排出されるが、先端にノズルが取り付けてあり、水流の流動抵抗と成るなるため押出し側の圧力が上昇する。一般的には３〜４気圧程度の圧力に調整されている。押出し側の経路内には溶解槽が設けられており、吸引時に取り込んだ気体を水中に効果的に溶解させる。これにより生成された、一つの気泡の粒子径は１０μｍを中心粒径とし、二つ目はややブロードな分布を示すピークである。加圧溶解型のマイクロバブル発生装置の場合、５０μｍ以下の気泡個数は１ｍｌあたり数千個となる。下記に溶解型マイクロナノバブル発生装置の概念図を示す。
溶解型マイクロバブル発生装置。酸素等の気体は水中に溶解する。気体の種類によって溶解量には違いがあるが、基本的に特性として圧力に比例して気体の溶解量も増加する、加圧溶解型のマイクロバブル生成方法はこの特性を利用したものであり、ある程度の高圧で十分な量の気体を水中に溶解させた後、その圧力を開放してやることで溶解した気体の過飽和条件を作り出す。これにより過剰に溶解した気体は不安定な状態になり、過飽和部分の気体分子は水から飛び出そうとする。その結果水中に大量の気泡を発生させる。基本的なシステム構成は加圧駆動が可能なポンプを利用して水槽内の水を循環させる。この時に吸引側からは水と気体を取り込む。これらは押出し側から水槽内に排出されるが、先端にノズルが取り付けてあり、水流の流動抵抗と成るなるため押出し側の圧力が上昇する。一般的には３〜４気圧程度の圧力に調整されている。押出し側の経路内には溶解槽が設けられており、吸引時に取り込んだ気体を水中に効果的に溶解させる。これにより生成された、一つの気泡の粒子径は１０μｍを中心粒径とし、二つ目はややブロードな分布を示すピークである。加圧溶解型のマイクロバブル発生装置の場合、５０μｍ以下の気泡個数は１ｍｌあたり数千個となる。次頁に溶解型マイクロナノバブル発生装置の概念図を示す。
2019093374.tif 000003
【０００６】現在の日本における、マイクロバブルの発生する装置は上記に記載の通り、多くの種類があり市販もされている。しかし何れも液中における装置である。その結果気泡粒子口径は１００ｎｍ前後であり、１ｍｌ当りの個数は約１０億個といわれている。これらの得られた数値からは、水の特性と性質及びナノ技術はまだまだ把握されていないのが実情であることから、本技術の可能性が非常に高いと考える。上記のことから、現状技術にて得られた数値を踏まえると、大気中の流体抵抗値の差は約１９倍の差があることから、実状の方法ではこれ以上の数値向上技術に限界があると考える。
【先行技術文献】
【特許文献】
【特許文献１】国際公開第２００５／０３０６４９（ＷＯ，Ａ１）  特開２００５−２４６２９４（ＪＰ，Ａ）  特開２００５−２４６２９３（ＪＰ，Ａ）  特開２００４−１２１９６２（ＪＰ，Ａ）  特開２００３−３３４５４８（ＪＰ，Ａ）  特開２００３−２４５６６２（ＪＰ，Ａ）  特開２００１−２２５０６０（ＪＰ，Ａ）  特開２００１−００９４６３（ＪＰ，Ａ）  特開平０９−２７６６７５（ＪＰ，Ａ）  特開平０７−０６００８８（ＪＰ，Ａ）
【非特許文献１】大成博文，第１部マイクロバブルの魅力と技術的可能性を探る、混相流レクチャーシリーズ第２８回マイクロバブルの魅力とその利用技術、日本、日本混相流学会、２００３年６月。
【非特許文献２】産業技術総合研究所  高橋正好  マイクロバブルおよびナノバブルに関する研究。
【非特許物件３】
天羽  則博    ナノ細粒子水の大気中における空気浄化の技術。
【非特許物件３】
佐々木  成  水とアクアポリンの生物学。
【発明の概要】
【発明が解決しようとする課題】
【０００７】国内にて現在のナノバブル発生装置は水溶液内中に発生装置を設け、ナノバブルを発生させている。水溶液中（比重１．０前後、電気電導度３３０μｓ／ｃｍ以上）における圧力損失は空気中の圧力抵抗に比較し約１９倍前後の抵抗損失が必要である。現状のナノバブル発生装置の性能は、粒子口径の粒度分布の最小値は１００ｎｍといわれている。個数密度は１ｍｌあたり約１０億個の値が示されている。【０００８】本発明は，上記記載の欠点に鑑み、水溶液中の損失抵抗が約１／１９で済む、加圧された空間の分子・ナノ水生成室中にナノ水（１〜１０ｎｍ粒子）を発生させ、その水分子・ナノ水粒子を含んだ大気空気と共に水分子・ナノ水生成沈殿槽中に溶解溶存させることにより、水分子・ナノ水が生成される。及び個数密度の大幅増加することが可能となる。
【課題を解決するための手段】
【０００９】本発明装置は滝口から落下し最下部の水流域へ、落下加速度エネルギーを増加しながら水が上部から落下し落下地点の流域に加速度を得ながら加圧溶解する。本装置は自然界の仕組みを利用した装置である。該装置は加圧及び磁場を一定の値に保たれた大気中空間においてナノ微細粒子水を噴霧し、そのナノ微細粒子水を水溶液中内に溶解溶存させる事により、ナノ微細粒子水を急速に且つ大量に生成することが可能になる。【００１０】本発明装置は、水分子・ナノ水生成筐体は加圧空気制御ユニット及び特殊ノズルユニット、水分子・ナノ水沈殿槽を形成し構築している。水分子・ナノ水生成筐体に接続される給水は、給水槽、ポンプ、塩素除去装置、水フィルター等から構成している。また、加圧空気発生特殊装置は、加圧送風機、加圧送風管等の構成により水分子・ナノ水生成装置へ加圧空気入口経由して取込まれる。以上が本発明装置を構築の要素である。【００１１】更に、水分子・ナノ水生成筐体は、第一、第二加圧空気制御ユニットにより三つの空間に分かれている。その、空気加圧室と噴霧室を兼ねた水分子・ナノ水生成室に第一、第二、第三特殊ノズルユニットにより該空間にナノ水（１〜１０ｎｍ粒子）が生成されることになる。生成量により一、二、三と分割及び増設も可能となることが特徴である。また上記特殊ノズルユニットは空気加圧室と噴霧室を兼ねた水分子・ナノ水生成室の側壁の金具に固定される。
【発明の効果】
【００１２】以上の説明から明らかなように、本発明によって生成される水分子・ナノ水は、次に列挙する結果が得られる。
（１）極微細水の大きさを解析する粒度分布装置計測から、０．３ｎｍ〜５ｎｍ，１０〜２０ｎｍ，５０ｎｍ〜１００ｎｍの夫々の粒径を生成することが出来た。（ｎｍは単位、ナノメートルの略称）
（２）超微細水の密度個数を解析する装置計測により、従来技術の約２５０万倍にあたる、１ｍｌあたり２００該個の値が得られた。
【図面の簡単な説明】
【００１３】
【図１】本発明を実施するための最良の第１の形態の装置概要図  図−１
【図２】本発明の水分子・ナノ水生成装置にて生成された粒度分布図。
【発明を実施するための形態】
【００１４】  以下、本発明の実施の形態を図面に基づき実施例に沿って説明する。
【実施例１】
【００１５】装置概念図１は、本発明の水分子・ナノ水生成システムを構成する装置の全体を示している。該水分子・ナノ水生成装置は水分子・ナノ水生成筐体２、水分子・ナノ水生成室３、第一・二三特殊ノズルユニット４・５・６、第一・二加圧空気制御ユニット７・８、水分子・ナノ水生成沈殿槽９、を形成し、筐体の外形はほぼ円筒上を形成し主要な装置を構成している。生成された、水分子・ナノ水は水分子・ナノ水生成配管１１、を経由し水分子・ナノ水生成水槽１０に生成水は貯留されていくことになる。水分子・ナノ水生成室３は、加圧空気入口２７．２８から加圧空気を取込む為の、加圧空気制御ユニット７．８を設置し該ユニット７．８は仕切り板を兼ねて設けることにより、その空間は加圧及び噴霧するためには、ナノ水１ｎｍ〜１０ｎｍ粒子の拡散が空間を効率よく行なうことが可能となる。水分子・ナノ水生成室３、は３室の空間を設けることになる、該空間において特殊ノズルユニット４．５．６．からナノ水１ｎｍ〜１０ｎｍの粒子水を噴霧し発生させる。水分子・ナノ水生成室は、加圧送風機２６．により加圧される、該圧力は水分子・ナノ水生成室の空間を０．８〜１．５ｍｐａ前後の圧力を保ちながら、特殊ノズルユニット４．５．６．からナノ水１ｎｍ〜１０ｎｍの粒子径を噴霧する。噴霧されたナノ水は加圧している空間を水分子・ナノ水沈殿槽９．に溶解溶存し貯留されていく。水分子・ナノ水生成室３．へ水を供給する給水槽１３．とポンプ１２．塩素除去装置１４．水フィルター２１．２２．磁気発生装置２３．より構成されている。また、水分子・ナノ水生成筐体２．に加圧（０．８〜１．５ｍｐａ）された空気及び磁場（２００ガロン〜４００ガロン）に荷電させた空気を、加圧空気発生装置２４．により調整された空気を加圧送風機２６．加圧送風管３１．を経由し加圧空気入口２７．２８から、水分子・ナノ水生成室に供給することになる。【００１６】本装置の構成装置である、加圧空気発生特殊装置２４．は空気取入れ口２５．特殊ノズルユニット２．空気制御ユニット３３．３４．加圧噴霧室３６．３７．３８．磁場発生ユニット３９．汚染水沈殿槽３５．の要素部品によって構成されている。及び筐体はほぼ正方形の形状をしている。空気取り入口２５．に取込まれる空気（標準空気である、比重１．２、温度０〜４０℃、粉塵密度０．５ｍｇ／ｍ３以下、湿度０〜９９％）は加圧噴霧室３６．に入り、該空間は特殊ノズルユニット−１．３２から微細粒子水１μｍ〜１０μｍの粒径水を噴霧し、空気制御ユニット３３．内を経由、蛇行しながら、加圧噴霧室−２．３７．を経由し通過していくことになる。また該微細粒子水に粉塵等を附着させた微細粒子水は汚染水沈殿槽３５．に沈殿されていくことになる。加圧噴霧室−３．３８．に至るまでに空気は清浄化され、加圧送風機２６．により加圧送風管３１．を経由した該空気は水分子・ナノ水生成装置２．へと供給されていくことになる。【００１７】本装置の構成装置である、加圧空気発生特殊装置２４．には、磁場発生装置を、加圧噴霧室−１・２の３６．３８の側壁２ヵ所に設け、空間に磁場を発生させその空間を２００〜４００ガロンに保持する。２００〜４００ガロンに磁場力を保った加圧空気は水��子・ナノ水生成筐体２．へと供給されていく装置である。【００１８】本装置の第一、第二、第三特殊ノズルユニット４．５．６．から噴霧されたナノ水１ｎｍ〜１０ｎｍ粒子は、水分子・ナノ水生成室３．の、加圧（０．８〜１．５ｍＰａ）、磁場（２００〜４００ガロン）双方の条件を一定に保った空間に噴出されることになる。その後、その空間に噴霧された該ナノ水１ｎｍ〜１０ｎｍの粒子は、該空間の圧力と磁場力による化学反応等の変化を得てから、水分子・ナノ水粒子水（０．３ｎｍ〜５ｎｍ）口径の粒子が生成されることになる。
【実施例１】
【産業上の利用可能性】
【００１９】本発明は、水を水分子０．３ｎｍ〜５ｎｍの粒径を生成してなる装置である。本発明の応用する技術分野は主に医薬品の分野になります。他に、野菜果物の成長促進・半導体（ピッチ間隔１４ｎｍ以下）の洗浄・化粧品（乳化剤の代替え）・食品乳化剤の代替え・食品加工の殺菌・水族館殺菌等への応用が可能となります。
【符号の説明】１  装置概念図  図１
２  水分子・ナノ水生成筐体
３  水分子・ナノ水生成室
４  第一特殊ノズルユニット−１
５  第二特殊ノズルユニット−１
６  第三特殊ノズルユニット−１
７  第一加圧空気制御ユニット
８  第二加圧空気制御ユニット
９  水分子・ナノ水生成沈殿槽
１０  水分子・ナノ水生成水槽
１１  水分子・ナノ水生成配管
１２  ポンプ−１
１３  給水槽−１
１４  塩素除去装置
１５  給水加熱装置
１６  給水管−１
１７  第一給水管
１８  第二給水管
１９  第三給水管
２０  給水入口管
２１  水フィルター  １次．
２２  水フィルター  ２次．
２３  磁気発生装置．
２４  加圧空気発生特殊装置
２５  空気取入れ口
２６  加圧送風機
２７  加圧空気入口  １
２８  加圧空気入口  ２．
２９  汚染水排水管
３０  汚染水槽．
３１  加圧送風管
３２  特殊ノズルユニット−２．
３３  空気制御ユニット−１．
３４  空気制御ユニット−２
３５  汚染水沈殿槽
３６  加圧噴霧室−１
３７  加圧噴霧室−２
３８  加圧噴霧室−３
３９  磁場発生装置
４０  ポンプ−２
４１  給水槽−２
４２  給水管−２
【図１】
2019093374.tif 000004
【図２】
2019093374.tif 000005